(57)【要約】      （修正有）【課題】ヒーター線のリード線の配線作業を容易にすることができ、かつ、扉の開閉時にリード線にかかるストレスを軽減すると共に、損傷や断線を防止できるようにする。【解決手段】冷蔵庫の開口部２にヒンジを介して開閉可能な扉１０の辺部へ配設したヒーター線に接続するリード線Ｌを、扉内部を通して扉上部に引き出すようにした冷蔵庫用扉のヒーター配線構造において、扉の上辺部に配設される扉枠１２に、ヒーター線のリード線の収納空間１７を長手通しに設けると共に、扉枠のヒンジ取付側に収納空間に連通する連通孔１２ａを設け、連通孔に一端が嵌合され、他端が扉の上端片に設けられた配線取り出し孔１０ｆに連通するエルボ状基部３１を有する配線保護部材３０を具備し、収納空間内に収納されるリード線を配線保護部材のエルボ状基部内を挿通して扉の外部に引き出すようにする。【選択図】図４
2014119175.tif 000002
【特許請求の範囲】
【請求項１】
冷蔵庫の開口部にヒンジを介して開閉可能な扉の辺部へ配設したヒーター線に接続するリード線を、扉内部を通して扉上部に引き出すようにした冷蔵庫用扉のヒーター配線構造であって、
上記扉の上辺部に配設される扉枠に、上記ヒーター線のリード線の収納空間を長手通しに設けると共に、該扉枠の上記ヒンジ取付側に上記収納空間に連通する連通孔を設け、
上記連通孔に一端が嵌合され、他端が上記扉の上端片に設けられた配線取り出し孔に連通するエルボ状基部を有する配線保護部材を具備し、
上記収納空間内に収納される上記ヒーター線のリード線を上記配線保護部材のエルボ状基部内を挿通して上記扉の外部に引き出すようにした、
ことを特徴とする冷蔵庫用扉のヒーター配線構造。
【請求項２】
請求項１に記載の冷蔵庫用扉のヒーター配線構造において、
上記扉枠の裏面側に上記収納空間と平行な凹状溝を長手通しに設け、
上記配線保護部材は、それぞれ上記エルボ状基部と一体に設けられ、上記連通孔に嵌合する嵌合突部を除いて上記扉枠の裏面に当接する垂直片と、上記扉の上端片の裏面に当接する水平片及び上記凹状溝に係合可能な凸条片を具備する、
ことを特徴とする冷蔵庫用扉のヒーター配線構造。
【請求項３】
請求項１又は２に記載の冷蔵庫用扉のヒーター配線構造において、
上記ヒーター線のリード線の取り出し側を挿通する鍔管を具備し、
上記鍔管を上記配線保護部材における上記配線取り出し孔に連通する開口内に嵌入すると共に、鍔管を扉の上端片に当接する、
ことを特徴とする冷蔵庫用扉のヒーター配線構造。
【請求項４】
請求項３に記載の冷蔵庫用扉のヒーター配線構造において、
上記ヒーター線のリード線の取り出し側を挿通する可撓性部材からなる保護チューブを更に具備し、
上記保護チューブを上記鍔管内に嵌入する、
ことを特徴とする冷蔵庫用扉のヒーター配線構造。
【発明の詳細な説明】
【技術分野】
【０００１】
この発明は、冷蔵庫用扉のヒーター配線構造に関するもので、更に詳細には、例えば業務用大型冷蔵庫の扉の辺部に配設されるヒーター線に接続するリード線を外部に引き出す配線構造に関するものである。
【背景技術】
【０００２】
一般に、業務用大型冷蔵庫の扉構造においては、扉と床面との間に生じる隙間により気密性が損なわれるため、扉の下端部に気密構造を施している。すなわち、扉の下部の庫内側縁部に沿設される１枚又は複数枚の可撓性を有する帯状のずれパッキンと、扉の下部の庫外側縁部に沿設される可撓性を有する帯状の垂れパッキンと、ずれパッキンと垂れパッキンの側端部に接続されるスポンジ又は合成ゴム製のブロック部材とで気密構造を構成している。
【０００３】
また、扉は、一対の例えばアルミニウム製の表面板と、これら表面板間に介在される例えば発泡ウレタン製の断熱性心材と、両表面板の辺部間を連結するように装着される例えば合成樹脂製の扉枠とで構成されており、この扉の庫内側の左右と上部の辺部に扉パッキンが装着されている。
【０００４】
一方、冷蔵庫は、内外の温度差が大きいため、扉と庫体間に介在する扉パッキンやずれパッキンの部分に結露した水分が凍結することがある。この凍結によって扉の開放に支障をきたす虞があり、また、パッキンが外れるなどの懸念があるため、従来では、庫体側の左右の庫口枠と上部庫口枠の３枠に凍結防止用のヒーター線を全体として逆Ｕ字状を成すように設けると共に、扉の下辺部にヒーター線を配設し、そのヒーター線に接続するリード線を扉のヒンジの存する側の側辺部に沿って、扉枠に設けられた配線孔から扉外部に引き出している（例えば、特許文献１参照）。
【先行技術文献】
【特許文献】
【０００５】
【特許文献１】特開２００５−１４７４７６号公報（図２，図６）
【発明の概要】
【発明が解決しようとする課題】
【０００６】
しかしながら、特許文献１に記載の構造においては、扉枠の側面部に設けられた配線孔を介してヒーター線のリード線を外部に引き出す構造であるため、ヒーター線のリード線の配線作業に手間を要する上、配線孔の孔開けによってバリが生じ、このバリによってヒーター線のリード線に傷を付けてしまう懸念がある。
【０００７】
また、扉外部に引き出したリード線の配線を外部から見えにくくするために、扉内部を通してヒーター線のリード線を扉上部に引き出すようにした場合、扉本体上部に配線孔を開け直す必要があり、孔開け加工方法次第ではバリが生じ、このバリによってヒーター線のリード線に傷を付けてしまう虞がある。また、開け直した配線孔の開口周縁にはブッシング等の断線防止措置が施されていないと、扉の開閉においてヒーター線のリード線を経時的に傷を付けてしまうという懸念がある。
【０００８】
この発明は上記事情に鑑みてなされたもので、ヒーター線のリード線の配線作業を容易にすることができ、かつ、扉の開閉時にリード線にかかるストレスを軽減すると共に、損傷や断線を防止できるようにした冷蔵庫用扉のヒーター配線構造を提供することを目的とする。
【課題を解決するための手段】
【０００９】
上記課題を達成するために、この発明の冷蔵庫用扉のヒーター配線構造は、冷蔵庫の開口部にヒンジを介して開閉可能な扉の辺部へ配設したヒーター線に接続するリード線を、扉内部を通して扉上部に引き出すようにした冷蔵庫用扉のヒーター配線構造であって、上記扉の上辺部に配設される扉枠に、上記ヒーター線のリード線の収納空間を長手通しに設けると共に、該扉枠の上記ヒンジ取付側に上記収納空間に連通する連通孔を設け、上記連通孔に一端が嵌合され、他端が上記扉の上端片に設けられた配線取り出し孔に連通するエルボ状基部を有する配線保護部材を具備し、上記収納空間内に収納される上記ヒーター線のリード線を上記配線保護部材のエルボ状基部内を挿通して上記扉の外部に引き出すようにした、ことを特徴とする（請求項１）。
【００１０】
このように構成することにより、扉の上辺部に配設される扉枠の収納空間内に収納されるヒーター線のリード線を、収納空間に連通する連通孔に一端が嵌合され、他端が扉の上端片に設けられた配線取り出し孔に連通するエルボ状基部を有する配線保護部材を介して扉の外部に引き出すことができる。この際、配線保護部材のエルボ状基部の一端を連通孔に嵌合し、エルボ状基部の他端を配線取り出し孔に連通させた状態で、リード線をエルボ状基部内に挿通して外部に引き出すことができる。
【００１１】
この発明において、上記扉枠の裏面側に上記収納空間と平行な凹状溝を長手通しに設け、上記配線保護部材は、それぞれ上記エルボ状基部と一体に設けられ、上記連通孔に嵌合する嵌合突部を除いて上記扉枠の裏面に当接する垂直片と、上記扉の上端片の裏面に当接する水平片及び上記凹状溝に係合可能な凸条片を具備するのが好ましい（請求項２）。
【００１２】
このように構成することにより、配線保護部材の嵌合突部を連通孔に嵌合すると同時に、垂直片を扉枠の裏面に当接し、かつ、凸条片を扉枠に設けられた凹状溝に係合することで、配線保護部材の扉枠への組付けを容易することができると共に、安定化させることができる。また、水平片を扉の上端片の裏面に当接することで、配線保護部材の扉枠内への組付けを更に容易することができると共に、安定化させることができる。
【００１３】
また、この発明において、上記ヒーター線のリード線の取り出し側を挿通する鍔管を具備し、上記鍔管を上記配線保護部材における上記配線取り出し孔に連通する開口内に嵌入すると共に、鍔管を扉の上端片に当接するのが好ましい（請求項３）。
【００１４】
このように構成することにより、リード線の取り出し側を挿通する鍔管を配線保護部材の開口内に嵌入することで、扉の開閉時のリード線の負荷を低減することができる。
【００１５】
更にまた、この発明において、上記ヒーター線のリード線の取り出し側を挿通する可撓性部材からなる保護チューブを更に具備し、上記保護チューブを上記鍔管内に嵌入するようにしてもよい(請求項４)。
【００１６】
このように構成することにより、リード線の取り出し側を挿通する可撓性部材からなる保護チューブを鍔管内に嵌入することで、リード線を保護チューブ及び鍔管を介して配線保護部材に密着させることができる。
【発明の効果】
【００１７】
この発明によれば、上記のように構成されているので、以下のような顕著な効果が得られる。
【００１８】
（１）請求項１に記載の発明によれば、扉の上辺部に配設される扉枠の収納空間内に収納されるヒーター線のリード線を、エルボ状基部を有する配線保護部材を介して扉の外部に引き出すことができ、また、配線保護部材のエルボ状基部の一端を連通孔に嵌合し、エルボ状基部の他端を配線取り出し孔に連通させた状態で、リード線をエルボ状基部内に挿通して外部に引き出すことができるので、リード線の配線作業を容易にすることができ、かつ、扉の開閉時にリード線にかかるストレスを軽減すると共に、損傷や断線を防止することができる。
【００１９】
（２）請求項２に記載の発明によれば、配線保護部材の嵌合突部を連通孔に嵌合すると同時に、垂直片を扉枠の裏面に当接し、かつ、凸条片を扉枠に設けられた凹状溝に係合し、また、水平片を扉の上端片の裏面に当接することで、配線保護部材の扉枠内への組付けを更に容易することができると共に、安定化させることができる。したがって、上記（１）に加えて更にリード線の配線作業を容易にすることができる。
【００２０】
（３）請求項３に記載の発明によれば、リード線の取り出し側を挿通する鍔管を配線保護部材の開口内に嵌入することで、扉の開閉時のリード線の負荷を低減することができるので、上記（１），（２）に加えて更に扉の開閉時にリード線にかかるストレスを軽減すると共に、損傷や断線を防止することができる。
【００２１】
（４）請求項４に記載の発明によれば、リード線を保護チューブ及び鍔管を介して配線保護部材に密着させることができるので、上記（１）〜（３）に加えて更に扉の開閉時にリード線にかかるストレスを軽減すると共に、損傷や断線を防止することができると共に、リード線の引き出し部の水密性の向上を図ることができる。
【図面の簡単な説明】
【００２２】
【図１】この発明に係る配線構造を適用した冷蔵庫用扉の概略正面図である。
【図２】この発明における扉のヒンジ側の一部を断面で示す拡大断面図である。
【図３】この発明における扉の閉鎖状態を示す要部断面図である。
【図４】この発明におけるリード線の引き出し部を示す拡大断面図である。
【図５】この発明における配線保護部材の正面斜視図（ａ）及び裏面斜視図（ｂ）である。
【図６】この発明における配線保護部材の側面図（ａ）及びその縦断面図（ｂ）である。
【図７】この発明における扉枠の正面図（ａ）及び連通孔を示す断面図（ｂ）である。
【図８】この発明における配線保護部材、扉枠、鍔管及び保護チューブを示す分解斜視図である。
【発明を実施するための形態】
【００２３】
以下に、この発明を実施するための形態について、添付図面に基づいて詳細に説明する。
【００２４】
この発明における冷蔵庫は、周囲を断熱パネル１で構成されており、開口部２は、例えばフォークリフト等の運搬機械によって物品を庫内に搬入及び搬出するため、冷蔵庫の開口部２の下部は床面３と同一平面の平坦状になっている。したがって、開口部２は、左右の庫口枠４と上部庫口枠５の３つの枠にて形成されている。このように形成される開口部２の一方（図１における右側）の庫口枠４にヒンジ６を介して扉１０が開閉可能に装着されると共に、扉１０の自由端側に装着されるラッチ錠８ａを、他方（図１における左側）の庫口枠４に装着されたラッチ受け８ｂに係合させている。
【００２５】
図２及び図３に示すように、冷蔵庫の開口部２の開口縁には、電気絶縁性の硬質発泡合成樹脂製のほぼ断面Ｌ字状の庫口枠４，５が被着されている。なお、断熱パネル１は、一対の例えばアルミニウム製の表面板１ａと、これら表面板１ａ間に介在される例えば発泡ウレタン製の断熱性心材１ｂと、両表面板１ａの辺部間を連結するように装着される例えば合成樹脂製の枠材１ｃとで構成されている。
【００２６】
なお、庫口枠４，５の扉パッキン７と接触する面には、断面略Ｕ字状の２条のヒーター線収納溝９が互いに平行にかつ長手通し状に設けられている。このヒーター線収納溝９にヒーター線Ｈが収納されると共に、ヒーター線収納溝９の表面側に被着される庫口枠４，５と同じ材質の化粧カバー９ａにて目隠しされている（図２〜図４参照）。
【００２７】
一方、扉１０は、一対の例えばアルミニウム製の表面板１０ａ，１０ｂと、これら表面板１０ａ，１０ｂ間に介在される例えば発泡ウレタン製の断熱性心材１１と、両表面板１０ａ，１０ｂの辺部間を連結するように装着される例えば合成樹脂製の扉枠１２とで構成されている。
【００２８】
以下に扉枠１２について扉１０の上辺部を構成する扉枠１２を代表して説明する。この場合、扉枠１２は、図３，図４及び図７に示すように、扉１０を閉じた状態で上部庫口枠５（以下に庫口枠５という）と対向する起立部１３と、この起立部１３の下部から開口部２内側に向かって下り傾斜状に延在する脚部１４とを具備し、起立部１３の上端部には扉１０の庫外側の表面板１０ａから直交状に屈曲された上端片１０ｃの先端から更に直交状に屈曲された屈曲片１０ｄを嵌挿する第１の嵌挿溝１５ａが設けられ、脚部１４の先端部には扉１０の庫内側の表面板１０ｂから直交状に屈曲された屈曲片１０ｅを嵌挿する第２の嵌挿溝１５ｂが設けられている。
【００２９】
また、起立部１３の庫口枠５と対向する面には狭隘開口状の嵌合溝１６が長手通しに設けられ、この嵌合溝１６内に扉パッキン７に設けられた略三角状の挿入片７ａを嵌合した状態で中空状の扉パッキン７が装着されている。また、起立部１３には、嵌合溝１６に隣接して、リード線Ｌを収納する収納空間１７が長手通しに設けられている。この収納空間１７が、扉１０の下辺部へ配設したヒーター線Ｈのリード線Ｌを、扉上部に引き出す通路となっている。また、起立部１３の庫口枠５と反対側（裏面側）の面には、収納空間１７と平行な凹状溝１８が長手通しに設けられている。
【００３０】
なお、収納空間１７の庫口枠５側の一部には、開口１７ａが長手通しに設けられており、この開口１７ａを介してリード線Ｌが収納空間１７内に収納することができるようになっている。なお、開口１７ａには可撓性を有する帯状蓋部材１９が着脱可能に装着される。
【００３１】
扉１０の下端部は、扉１０と床面３との隙間の気密性及び断熱性が確保されている。この場合、図３に示すように、扉１０の下部庫内側縁部に沿設されると共に、先端が床面３に接触する可撓性を有する帯状のずれパッキン２１と、扉１０の下端面に沿設されると共に、先端が床面３に接触する可撓性を有するスカートパッキン２２と、スカートパッキン２２の側端面に当接されると共に、扉１０の側部下端面に固定されるブロック状の押え部材（図示せず）とで気密機構が構成されている。
【００３２】
この場合、上記ずれパッキン２１は、合成ゴム製の可撓性を有する材質にて形成されており、図３に示すように、扉１０の扉枠１２に設けられた狭隘開口状の嵌合溝１６内に嵌合される略三角状の挿入片２１ａと、略円筒状の中空部２１ｂと、中空部２１ｂから垂下される帯状片２１ｃと、中空部２１ｂから枠材１４側に向かって突出するフィン２１ｄとで構成されている。
【００３３】
また、上記スカートパッキン２２は、合成ゴム製の可撓性を有する材質にて形成されており、図３に示すように、扉１０の下端面に当接される水平取付片２２ａと、この水平取付片２２ａの両端に直交状に連なる一対の帯状の垂直片２２ｂとで構成されており、水平取付片２２ａより上方に突出する両垂直片２２ｂ間に扉１０の下端部を挟持した状態で、庫外側の垂直片２２ｂに当接される押え板２３を介して扉下端部に埋設された埋木２４に螺合される第１の固定ねじ２５ａにて固定されると共に、水平取付片２２ａの下面に装着されるヒーター線収納用枠部材２９を貫通して埋木２４に螺合される第２の固定ねじ２５ｂによって固定されている。
【００３４】
なお、ヒーター線収納用枠部材２９は、例えば硬質塩化ビニル製部材にて形成されており、図３に示すように、２つのヒーター線収納溝２９ａが形成されている。
【００３５】
ヒーター線収納用枠部材２９のヒーター線収納溝２９ａ内に配設されるヒーター線Ｈは、扉枠１２の収納空間１７内に配設されるリード線Ｌに接続され、リード線Ｌは、この発明に係る配線構造によって扉１０の上部に引き出されて、電源（図示せず）に接続されるようになっている。すなわち、リード線Ｌは、扉１０の上部辺を構成する扉枠１２と扉１０の上端片１０ｃとの間に配設される、後述する配線保護部材３０、鍔管４０及び保護チューブ５０を介して扉１０の上部に引き出されて、電源（図示せず）に接続されるようになっている。
【００３６】
上記配線保護部材３０は、図４，図５，図６及び図８に示すように、扉枠１２のヒンジ取付側に設けられた収納空間１７に連通する連通孔１２ａに嵌合可能な嵌合突部３２を一端に有し、扉１０の上端片１０ｃに設けられた配線取り出し孔１０ｆに他端が連通するエルボ状基部３１と、連通孔１２ａに嵌合する嵌合突部３２を除いて扉枠１２の起立部１３の裏面に当接する垂直片３３と、扉１０の上端片１０ｃの裏面に当接する水平片３４及び凹状溝１８に係合可能な凸条片３５を具備している。この配線保護部材３０は、例えばＨＩ−ＰＳ（耐衝撃性ポリスチレン）等の合成樹脂製部材にて一体に形成されている。
【００３７】
このように構成される配線保護部材３０は、嵌合突部３２を連通孔１２ａに嵌合すると同時に、垂直片３３を扉枠１２の裏面に当接し、かつ、凸条片３５を扉枠１２に設けられた凹状溝１８に係合して扉枠１２に組み付けることができる。また、水平片３４を扉１０の上端片１０ｃの裏面に当接して扉１０の上部辺に組み付けることができる。
【００３８】
また、鍔管４０は、図３，図４及び図８に示すように、筒部４１の一端に外周に延在する鍔部４２を有する例えば中低圧ポリエチレン等の合成樹脂製部材にて形成されている。この場合、筒部４１の外周の一部には、軸方向に沿って僅かに隆起する細凸条４３が突設されている。このように形成される鍔管４０は、例えば押出成形や射出成形によって作製される。
【００３９】
上記のように形成される鍔管４０は、リード線Ｌを挿通する筒部４１を配線保護部材３０のエルボ状基部３１における配線取り出し孔１０ｆに連通する開口内に嵌入し、鍔部４２を扉１０の上端片１０ｃに当接することができる。なおこの場合、筒部４１の外周に軸方向に沿って僅かに隆起する細凸条４３を設けることで、筒部４１をエルボ状基部３１内に容易に嵌入させることができる。
【００４０】
保護チューブ５０は例えば塩化ビニル製の可撓性を有するチューブにて形成されており、リード線Ｌを挿通した状態で、鍔管４０の筒部４１内に嵌入されるようになっている。
【００４１】
次に、リード線Ｌの配線作業の手順について説明する。まず、配線保護部材３０と鍔管４０と鍔管４０より長い例えば５０ｍｍ程度の長さの保護チューブ５０を用意し、鍔管４０の筒部４１に保護チューブ５０を嵌入してする。この際、保護チューブ５０の先端を筒部４１より突出させ、突出部に接着剤を塗布した後、保護チューブ５０を引っ張って保護チューブ５０の先端を鍔管４０の先端に合わせておく。
【００４２】
次に、配線保護部材３０のエルボ状基部３１の一端側に設けられた嵌合突部３２を扉枠１２に設けられた連通孔１２ａに嵌合すると同時に、配線保護部材３０の垂直片３３を扉枠１２の裏面に当接し、かつ、配線保護部材３０の凸条片３５を扉枠１２に設けられた凹状溝１８に係合して配線保護部材３０を扉枠１２にセットする。これにより、配線保護部材３０は扉枠１２に容易にかつ確実に取り付けられると共に、扉枠１２から脱落することがなく安定した状態となる。なおこの場合、嵌合突部３２の嵌合部側の垂直片３３の外方に例えばウレタンフォーム性のスポンジ（図示せず）を被覆するようにしてもよい。
【００４３】
次に、配線保護部材３０のエルボ状基部３１の他端側の開口部を扉１０の上端片１０ｃに設けられた配線取り出し孔１０ｆに連通させると共に、水平片３４を扉１０の上端片１０ｃの裏面に当接して扉１０に扉枠１２を仮組する。
【００４４】
上記のようにして扉１０に扉枠１２を仮組した後、扉枠１２の収納空間１７に配設されたリード線Ｌを連通孔１２ａからエルボ状基部３１内に挿通して扉１０の上部に引き出し、引き出されたリード線Ｌを鍔部４２に嵌入された保護チューブ５０内に挿通する。リード線Ｌを挿通して引き出した状態で、鍔管４０の筒部４１を配線取り出し孔１０ｆを介して配線保護部材３０のエルボ状基部３１の他端側開口内に嵌入し、鍔部４２を上端片１０ｃの上面に当接して、鍔部４２と配線保護部材３０の水平片３４との間に上端片１０ｃを挟持して配線作業を終了する。
【００４５】
上記のように構成されるこの発明の実施形態によれば、扉１０の上辺部に配設される扉枠１２の収納空間１７内に収納されるヒーター線のリード線Ｌを、エルボ状基部３１を有する配線保護部材３０を介して扉１０の外部に引き出すことができ、また、配線保護部材３０のエルボ状基部３１の一端を連通孔１２ａに嵌合し、エルボ状基部３１の他端を配線取り出し孔１０ｆに連通させた状態で、リード線Ｌをエルボ状基部３１内に挿通して外部に引き出すことができるので、リード線Ｌの配線作業を容易にすることができ、かつ、扉１０の開閉時にリード線Ｌにかかるストレスを軽減すると共に、損傷や断線を防止することができる。
【００４６】
また、配線保護部材３０の嵌合突部３２を連通孔１２ａに嵌合すると同時に、垂直片３３を扉枠１２の裏面に当接し、かつ、凸条片３５を扉枠１２に設けられた凹状溝１８に係合し、また、水平片３４を扉１０の上端片１０ｃの裏面に当接することで、配線保護部材３０の扉枠１２内への組付けを更に容易することができると共に、安定化させることができる。
【００４７】
また、リード線Ｌの取り出し側を挿通する鍔管４０を配線保護部材３０の開口内に嵌入することで、扉１０の開閉時のリード線Ｌの負荷を低減することができる。
【００４８】
また、リード線Ｌを保護チューブ５０及び鍔管４０を介して配線保護部材３０に密着させることができるので、更に扉１０の開閉時にリード線Ｌにかかるストレスを軽減すると共に、損傷や断線を防止することができると共に、リード線Ｌの引き出し部の水密性の向上を図ることができる。
【００４９】
なお、上記実施形態では、扉１０の下部辺にヒーター線Ｈを配設し、このヒーター線Ｈに接続するリード線Ｌを扉１０の上部から引き出すようにした場合について説明したが、この発明はこの構造に限定されるものではない。例えば、扉１０の下部辺の他に扉１０の扉枠１２にも受けられた収納空間１７内配設されるヒーター線Ｈに接続するリード線Ｌを同様にして扉１０の上部から引き出すようにしてもよい。
【符号の説明】
【００５０】
２  開口部
４，５  庫口枠
６  ヒンジ
１０  扉
１０ｃ  上端片
１０ｆ  配線取り出し孔
１２  扉枠
１２ａ  連通孔
１７  収納空間
１８  凹状溝
３０  配線保護部材
３１  エルボ状基部
３２  嵌合突部
３３  垂直片
３４  水平片
３５  凸条片
４０  鍔管
４１  筒部
４２  鍔部
５０  保護チューブ
Ｈ  ヒーター線
Ｌ  リード線
【図１】
2014119175.tif 000003
【図２】
2014119175.tif 000004
【図３】
2014119175.tif 000005
【図４】
2014119175.tif 000006
【図５】
2014119175.tif 000007
【図６】
2014119175.tif 000008
【図７】
2014119175.tif 000009
【図８】
2014119175.tif 000010